(57)【要約】【課題】カラー画像データの任意の色を指定して所定の処理を施す際に、複雑な操作を行わなくても色の指定ができ、且つモニタやカラー液晶等の表示がなくても色の指定ができる画像処理装置を提供すること。【解決手段】カラー画像データに含まれる複数の画素データの色情報を抽出する抽出手段と、抽出された色情報に対応する色の見本及び該見本の各々に識別情報を付加した色指定用リストのカラー画像データを作成するカラー画像データ作成手段と、作成したカラー画像データを出力する出力手段と、前記識別情報の入力を受付ける入力受付手段と、該入力受付手段により識別情報の入力を受付けたとき、当該識別情報が付加された見本の色情報に基づいて、前記カラー画像データに対して所定の処理を施す手段と、を備える。【選択図】      図５
2004350169.tif 000002
【特許請求の範囲】
【請求項１】
カラー画像データに含まれる複数の画素データの色情報を抽出する抽出手段と、抽出された色情報に対応する色の見本及び該見本の各々に識別情報を付加した色指定用リストのカラー画像データを作成するカラー画像データ作成手段と、作成したカラー画像データを出力する出力手段と、前記識別情報の入力を受付ける入力受付手段と、該入力受付手段により識別情報の入力を受付けたとき、当該識別情報が付加された見本の色情報に基づいて、前記カラー画像データに対して所定の処理を施す手段と、を備えることを特徴とする画像処理装置。
【請求項２】
前記抽出手段は、カラー画像データに含まれる複数の画素データの色情報を抽出するとともに、その色情報に基づき同一色とみなせる画素データの数を各々計数し、
前記カラー画像データ作成手段は、各々計数された画素データの数の多い順に前記色の見本及び識別情報を並べた色指定用リストのカラー画像データを作成することを特徴とする請求項１記載の画像処理装置。
【請求項３】
前記出力手段は、前記カラー画像データ作成手段が作成した前記色指定用リストのカラー画像データを記録紙上に記録することを特徴とする請求項１又は２記載の画像処理装置。
【発明の詳細な説明】
【０００１】
【発明の属する技術分野】
本発明は、画像処理装置に関し、詳しくはカラー画像データの特定の色の画素データに対して所定の処理を施す画像処理装置に関するものである。
【０００２】
【従来の技術】
原稿のカラー画像をスキャナで読み取って記録紙に記録する際に、原稿の黒色部分を所定の色に変更し、その他の部分をモノクロに変更して記録紙に記録する画像処理装置がある（例えば、特許文献１参照）。この画像処理装置によれば、原稿の黒部分を所定の色に変更する一方、その他の部分をモノクロ色にすることで、原稿の黒部分を前記所定色にて強調することができ、加えて、カラートナーを節約することができるという利点がある。
【０００３】
【特許文献１】
特開２００２−２６２１０７号公報（第６図）
【０００４】
【発明が解決しようとする課題】
しかしながら、このような画像処理装置では、色の指定を行うために操作パネルから複雑な操作を行わなければならなかった。また、スキャナで読み取ったカラー画像データの各色をモニタやカラー液晶等に表示させて色の指定を行うため、モニタを具備しない装置や液晶がカラー表示できない装置では、色の指定ができないという問題点があった。
【０００５】
本発明は、上記課題に鑑みてなされたものであって、本発明の目的は、カラー画像データの任意の色を指定して所定の処理を施す際に、複雑な操作を行わなくても色の指定ができ、且つモニタやカラー液晶等の表示がなくても色の指定ができる画像処理装置を提供することである。
【０００６】
【課題を解決するための手段】
請求項１記載の画像処理装置は、カラー画像データに含まれる複数の画素データの色情報を抽出する抽出手段と、抽出された色情報に対応する色の見本及び該見本の各々に識別情報を付加した色指定用リストのカラー画像データを作成するカラー画像データ作成手段と、作成したカラー画像データを出力する出力手段と、前記識別情報の入力を受付ける入力受付手段と、該入力受付手段により識別情報の入力を受付けたとき、当該識別情報が付加された見本の色情報に基づいて、前記カラー画像データに対して所定の処理を施す手段と、を備えることを特徴としている。
【０００７】
請求項２記載の画像処理装置は、請求項１に記載の画像処理装置において、前記抽出手段は、カラー画像データに含まれる複数の画素データの色情報を抽出するとともに、その色情報に基づき同一色とみなせる画素データの数を各々計数し、前記カラー画像データ作成手段は、各々計数された画素データの数の多い順に前記色の見本及び識別情報を並べた色指定用リストのカラー画像データを作成することを特徴としている。
【０００８】
請求項３記載の画像処理装置は、請求項１又は２に記載の画像処理装置において、前記出力手段は、前記カラー画像データ作成手段が作成した前記色指定用リストのカラー画像データを記録紙上に記録することを特徴としている。
【０００９】
【発明の実施の形態】
以下、本実施の形態に係る画像処理装置をコピー機能、ファクシミリ機能等を有する複合機に適用した場合について図面に基づき説明する。図１に示すように、画像処理装置１は、制御部（ＭＰＵ：Ｍｉｃｒｏｐｒｏｃｅｓｓｉｎｇ  Ｕｎｉｔ）２、ＲＯＭ（Ｒｅａｄ  Ｏｎｌｙ  Ｍｅｍｏｒｙ）３、原稿読取部４、ヒストグラムカウンタ５、画像メモリ６、メモリ管理回路７、ＲＡＭ（Ｒａｎｄｏｍ  Ａｃｃｅｓｓ  Ｍｅｍｏｒｙ）８、色指定用カラー画像データ作成部９、画像処理部１０、記録部１１、表示部１２、操作部１３、コーデック１４、通信部１５、及びＰＣ  Ｉ／Ｆ１８を備えたものであって、各部２乃至１８は、バス１９によって通信可能に接続されている。
【００１０】
制御部２は、所定のプログラムに従ってこの画像処理装置１を構成する各部を制御するものである。ＲＯＭ３は、制御部２によりこの画像処理装置１の各部の動作が制御されるための各種プログラムを記憶している。ＲＯＭ３に記憶されているプログラムは、具体的には、原稿読取部４で読み取られたＲＧＢ表色系のカラー画像データに含まれる各画素データの色を判別し、色毎にその画素数を計数することによりヒストグラム８ａを作成するためのヒストグラム作成処理プログラムや、カラー画像データの指定された色の画素データの色を他の色に置き換えるための色置き換え処理プログラム等である。
【００１１】
原稿読取部４は、自動原稿給送部（ＡＤＦ：Ａｕｔｏｍａｔｉｃ  Ｄｏｃｕｍｅｎｔ  Ｆｅｅｄｅｒ）、フラットベッド読取部（ＦＢＳ：Ｆｌａｔ  Ｂｅｄ  Ｓｃａｎｎｅｒ）、及び画像処理回路を備えており、カラーＣＣＤ（Ｃｈａｒｇｅ  Ｃｏｕｐｌｅｄ  Ｄｅｖｉｃｅ）により原稿の画像の読み取りを行い、読み取ったＲＧＢ表色系の画像データに対し、Ａ−Ｄ変換、入力補正、及び色補正を施す。
【００１２】
ヒストグラムカウンタ５は、原稿読取部４から出力されたＲＧＢ表色系のカラー画像データに含まれる画素データの色を判別すると共に、同一色の画素数を各々計数することにより図２に示すようなヒストグラム８ａを作成するものであり、本実施の形態においては、このヒストグラムカウンタ５がカラー画像データに含まれる複数の画素データの色情報を抽出する抽出手段として機能する。
【００１３】
画像メモリ６は、多値メモリ６ａ、二値メモリ６ｂ、及び符号化メモリ６ｃから構成されている。多値メモリ６ａは、原稿読取部４から出力されたＲＧＢ表色系の画像データや、ＰＣ  Ｉ／Ｆ１８を介してクライアントＰＣ２１から受信したＲＧＢ表色系のカラー画像データの各画素データを一時的に蓄積する。二値メモリ６ｂは、画像処理部１０において出力色変換、２値化処理等が施された画像データやコーデック１４において復号化された２値画像データを一時的に蓄積する。符号化メモリ６ｃは、ファクシミリ受信した画像データ等の所定の符号化方式によって符号化されている画像データを一時的に蓄積する。
【００１４】
メモリ管理回路７は、画像メモリ６に対する画像データの書き込み及び読み出しを制御する回路である。例えば、原稿読取部４から出力されたカラー画像データを多値メモリ６ａに蓄積したり、逆に多値メモリ６ａからカラー画像データ読み出して所定の出力先に出力する。
【００１５】
ＲＡＭ８は、登録されたファクシミリ番号、メールアドレス等を予め記憶している。また、ＲＡＭ８は、ヒストグラムカウンタ５によって作成されたヒストグラム８ａや、図４に示すように、色指定用カラー画像データ作成部９によって作成されたカラー画像データを、識別情報に対応づけて出力する際に使用されるフォーマット８ｂを記憶する記憶部としても機能する。
【００１６】
色指定用カラー画像データ作成部９は、ヒストグラム８ａに基づいて抽出されたカラー画像データの色情報に対応する色の見本を作成し、該見本の各々に識別情報を付加した色指定用リストのカラー画像データを作成するカラー画像データ作成手段として機能する。
【００１７】
画像処理部１０は、多値メモリ６ａに蓄積されているカラー画像データや、色指定用カラー画像データ作成部９で作成された色指定用リストのカラー画像データに対し、色置き換え、色変換、色調整、出力色変換、２値化処理を施すものであり、カラー画像データに対して所定の処理を施す手段として機能する。
【００１８】
記録部１１は、例えば電子写真方式のものからなり、画像処理部１０において処理が施された画像データや、コーデック１４によって復号化された画像データを記録紙に記録するものである。また、記録部１１は、図３に示すように、色指定用カラー画像データ作成部９によって作成され、画像処理部１０において所定の処理が施された色指定用リストを記録紙に記録するものであり、出力手段として機能する。
【００１９】
表示部１２は、この画像処理装置１の状態に関する情報、各種操作指示入力画面、設定状態、動作状態等を表示する液晶表示装置１２ａ及びＬＥＤランプ１２ｂを具備している。また、液晶表示装置１２ａは制御部２の制御命令に従って、識別情報の入力を受付ける旨のメッセージを表示する。
【００２０】
操作部１３は、ファクシミリ番号、記録部数等を入力するためのテンキー、原稿読取部４に載置された原稿のコピー実行命令、ファクシミリ送信等を指示するためのスタートキー、各種設定を行うためのカーソルキー等から構成される操作キーを具備している。なお、色指定用リストが出力された後の、ユーザによる色を指定するための識別情報の入力は、この操作部１３のテンキー等により行われ、操作部１３が入力受付手段として機能する。
【００２１】
コーデック１４は、画像データを所定のプロトコルに対応して符号化（エンコード）・復号化（デコード）するものである。すなわち、画像データを送信などのためにＭＨ（Ｍｏｄｉｆｉｅｄ  Ｈｕｆｆｍａｎ）、ＭＲ（Ｍｏｄｉｆｉｅｄ  Ｒｅａｄ）、ＭＭＲ（Ｍｏｄｉｆｉｅｄ  Ｍｏｄｉｆｉｅｄ  Ｒｅａｄ）方式等により符号化し、符号化メモリ６ｃに蓄積されている画像データを記録紙に記録するために記録部１１の記録動作に合わせて復号化するものである。
【００２２】
通信部１５は、モデム１６及びＮＣＵ（Ｎｅｔｗｏｒｋ  Ｃｏｎｔｒｏｌ  Ｕｎｉｔ）１７を備えている。モデム１６は、例えばＩＴＵ−Ｔ（国際電気通信連合電気通信標準化部門）の勧告Ｖ．３４規格又はこれと同様のものに従った送受信データの変調及び復調を行うものである。ＮＣＵ１７は、電話回線を制御して電話をかけたり、切ったりする回線網制御装置であり、ＰＳＴＮ（Ｐｕｂｌｉｃ  Ｓｗｉｔｃｈｅｄ  Ｔｅｌｅｐｈｏｎｅ  Ｎｅｔｗｏｒｋ）２０に接続されている。ＰＣ  Ｉ／Ｆ１８は、クライアントＰＣ２１とのインターフェースを備えており、画像処理装置１とクライアントＰＣ２１は、このＰＣ  Ｉ／Ｆ１８によって通信可能に接続されている。
【００２３】
複合機として上記構成を備えた画像処理装置１によれば、コピー機能によって原稿読取部４で読み取った画像データを記録紙に記録することができるほか、ファクシミリ機能によって他のＧ３ファクシミリ装置（不図示）とファクシミリ送受信することができるようになっている。また、画像処理装置１は、ＰＣ  Ｉ／Ｆ１８を介してクライアントＰＣ２１からＲＧＢ表色系のカラー画像データを受信し、該カラー画像データの指定された色に対して所定の処理を施して記録紙に記録したり、クライアントＰＣ２１に出力できるようになっている。
【００２４】
以下、原稿読取部４で読み取ったカラー画像データに含まれる画素データの色の情報を抽出して色指定用リストを作成し、該色指定用リストを出力した後に、ユーザにより操作部１３から入力された識別情報に基づいて前記カラー画像データに対して所定の処理を施して記録紙に記録するまでのデータ転送の流れについて図３に基づいて説明する。
【００２５】
原稿読取部４の備えるカラーＣＣＤによって読み取られたＲＧＢ表色系のアナログ画像データは、ディジタル画像データに変換され、シューディング補正、ずれ／ライン補正等の入力補正が施された後、マスキングによる色補正が施される。原稿読取部４においてこれらの処理が施されたカラー画像データの各画素データは、Ｒ（Ｒｅｄ）、Ｇ（Ｇｒｅｅｎ）、Ｂ（Ｂｌｕｅ）の三色を所定の割合で混合した色として表される、いわゆるＲＧＢ表色系によって表されるものであり、ＲＧＢの３刺激値からなる表色値によって一義的に表現される。
【００２６】
ヒストグラムカウンタ５は、原稿読取部４から順次出力されるカラー画像データの各画素データの表色値に基づいて色の判別を行い、判別した同一色の画素数を各々計数する処理を行う。ただし、同一色であるか否かの判別には、一定の幅が設定されており、表色値が例えば５０種類以上あっても、Ｒ１Ｇ１Ｂ１乃至Ｒ５０Ｇ５０Ｂ５０の５０色のいずれかに識別されるようになっている。例えば、Ｒ１Ｇ１Ｂ１の表色値によって表される画素データと、Ｒ２Ｇ１Ｂ１、Ｒ１Ｇ２Ｂ１、Ｒ１Ｇ１Ｂ２のそれとは、ＲＧＢの三色のうち一色が僅かに異なるだけであるので、Ｒ１Ｇ１Ｂ１と同一色であると判別されるようになっている。
【００２７】
ヒストグラムカウンタ５によって行われるこれらの処理は、原稿読取部４又はＰＣ  Ｉ／Ｆ１８を介してクライアントＰＣ２１から出力されるカラー画像データの画素データに対して行われ、その判別結果に基づいて図２に示すようなヒストグラム８ａがＲＡＭ８の所定領域に形成される。ヒストグラム８ａにおいては、画素データの表色値と、その表色値によって表される画素データの画素数との関係が示される。
【００２８】
ヒストグラムカウンタ５によって色の判別がなされると同時に、各画素データは、メモリ管理回路７によって多値メモリ６ａへと送られ、該多値メモリ６ａの所定領域に一時的に蓄積される。
【００２９】
このようにして、原稿読取部４から出力されたカラー画像データの全画素データが多値メモリ６ａに蓄積されると、制御部２はヒストグラム８ａに基づいて、多値メモリ６ａに蓄積されているカラー画像データの画素データに対し、識別情報を割り当てる。ここで、識別情報は、カラー画像データの画素データを色毎に識別するための情報であり、例えば番号や記号によって示されるものであり、本実施の形態では番号によって示される。制御部２は、ＲＡＭ８に格納されているヒストグラム８ａを参照して画素数の多い色を判断し、画素数の多い色から順に所定数の表色値に対し識別情報を割り当て、該識別情報をＲＡＭ８に格納する。具体的には、Ｒ１Ｇ１Ｂ１の表色値に識別情報「１」を割り当てる。そして、次に画素数の多いＲ２Ｇ２Ｂ２の表色値に識別情報「２」を割り当てる。本実施の形態においては、画素数の多い色から順に１０色の画素データに識別情報が割り当てられており、他の画素数の少ない色の画素データには、識別情報は割り当てられていない。なお、この識別情報を割り当てる色の数は、これに限定されるものではなく、例えば２０色や３０色等、操作部１３から予め設定することが可能である。
【００３０】
次に、色指定用カラー画像データ作成部９において、ヒストグラム８ａに基づいて画素数が多いと判断した表色値の色の見本となるカラー画像データを作成し、ＲＡＭ８に格納されているフォーマット８ｂと合成することにより、色指定用リストを作成する。図４は、色指定用リストを出力するためのフォーマット８ｂを示したものである。図示するように、画素数が多いと判断された１０色のカラー画像データに付加される識別情報と、該識別情報が割り当てられた表色値の色の見本となるカラー画像データが嵌め込まれる領域３１乃至４０によって構成されている。したがって、色指定用カラー画像データ作成部９は、この領域３１乃至４０に嵌め込むための各識別情報に対応する色の見本となるカラー画像データを作成する。ここで作成されるカラー画像データの色は、ヒストグラム８ａに基づいて画素数の多い順に識別情報が割り当てられた色である。すなわち、色指定用カラー画像データ作成部９は、Ｒ１Ｇ１Ｂ１の表色値によって表される画像データから、Ｒ１０Ｇ１０Ｂ１０の表色値によって表される画像データまでの１０色のカラー画像データを作成する。
【００３１】
色指定用カラー画像データ作成部９は、制御部２によってＲＡＭ８から読み出された前記フォーマット８ｂの領域３１乃至４０に、作成したカラー画像データを嵌め込んで合成する処理を行う。図５に、合成された色指定用リスト５０を示す。図示するように、領域３１乃至４０に、各識別情報に対応するＲ１Ｇ１Ｂ１からＲ１０Ｇ１０Ｂ１０までの表色値によって表されるカラー画像データが嵌め込まれている。
【００３２】
そして、色指定用カラー画像データ作成部９によって作成された色指定用リスト５０に対し、画像処理部１０において所定の画像処理を施す。すなわち、図３に示すようにＲＧＢ表色系の色指定用リスト５０のカラー画像データをＬ＊ａ＊ｂ＊表色系の画像データへと変換し、明るさや色相の微調整等の色調整を行う。そして、色指定用リスト５０の画像データを記録部１１において記録紙に記録するために、Ｌ＊ａ＊ｂ＊表色系によって表されている色指定用リスト５０の画像データを、Ｃ（シアン）、Ｍ（マゼンタ）、Ｙ（イエロー）、Ｋ（ブラック）の出力表色系の画像データへと変換し、誤差拡散処理等を施して２値化する処理を行う。そして、これらの画像データを記録部１１へと出力し、該記録部１１において記録紙に記録する。
【００３３】
このようにして、カラー画像データに含まれる全画素データの色の情報に基づいてヒストグラム８ａを作成し、該ヒストグラム８ａを参照して画素数の多い所定数の色の表色値を判断し、該表色値の色の見本となるカラー画像データを作成してフォーマット８ｂの領域３１乃至４０に嵌め込むことにより色指定用リスト５０を作成し、画像処理部１０において所定の処理を施し、記録部１１において記録紙に記録する。なお、液晶表示装置１２ａがカラー表示可能なものであれば、色指定用リスト５０を該液晶表示装置１２ａに表示させることも可能であるが、色の性質上、液晶表示装置１２ａに表示される色と、記録紙上に記録される色とが異なって見える場合がある。したがって、本実施形態のように、色指定用リスト５０を原稿と同じ記録紙に記録して出力することにより、ユーザは、原稿と記録紙に出力された色指定用リスト５０とを見比べることにより、色の比較を容易に行うことができる。また、液晶表示装置１２ａがカラー表示可能なものでなくても、色の指定が行えるという利点がある。
【００３４】
なお、原稿読取部４から出力されたＲＧＢ表色系のカラー画像データだけでなく、クライアントＰＣ２１から受信したＲＧＢ表色系のカラー画像データに対しても同様の処理を行って色指定用リスト５０を出力することが可能である。この場合、色指定用リスト５０を、ＰＣ  Ｉ／Ｆ１８を介してクライアントＰＣ２１へと出力し、クライアントＰＣ２１の備えるディスプレイに表示させるようにする。
【００３５】
画像処理装置１は、以上のようにして色指定用リスト５０を出力した後、操作部１３又はクライアントＰＣ２１の備えるキーボード等から識別情報が入力された場合、多値メモリ６ａに蓄積されているカラー画像データに対して、入力された識別情報に基づいて所定の処理を施して記録紙に記録する。すなわち、識別情報が入力されると、多値メモリ６ａに蓄積されているカラー画像データの各画素データは、画像処理部１０へと送られ、入力された識別情報で表される表色値と同じ表色値で表される画素データと、その他の画素データに対し別々の処理が施される。例えば、操作部１３の備えるテンキー等によって識別情報「２」が入力された場合、Ｒ２Ｇ２Ｂ２の表色値によって表される画素データには、上記の色変換、色調整、出力色変換、２値化処理などの原稿の色を再現して記録紙に記録するための画像処理が施される。一方、他の色の画素データには、前記色変換の処理の前に、モノクロ画像として出力するための色置き換えの処理が施された後、色変換、色調整、出力色変換、及び２値化処理が施される。そして、画像処理部１０においてこれらの処理が施された各画素データは、記録部１１へと送られて記録紙に記録される。したがって、ユーザは、出力された色指定用リスト５０を見て、そのままカラーで出力したい色の識別情報を入力することにより、指定した色のみをカラーで、他の色をモノクロ画像として記録紙に記録させることができる。
【００３６】
なお、識別情報を入力することによって、多値メモリ６ａに蓄積されているカラー画像データに対して行うことのできる処理は、これに限定されるものではなく、予め操作部１３から設定しておくことにより、他に以下のような処理を行わせることが可能である。すなわち、識別情報の入力によって指定された色の画素データに対し、原稿の色を再現するための画像処理を施して記録紙に記録するか、又はモノクロ画像として記録紙に記録するための処理を施して記録紙に記録し、指定されていない色に関しては、その画素データを破棄して記録紙に記録しないようにする。識別情報の入力によって指定された色の画素データを破棄して記録紙に記録しないようにし、指定されていない色に関しては、原稿の色を再現するための画像処理を施して記録紙に記録するか、又はモノクロ画像として記録紙に記録するための処理を施して記録紙に記録する。識別情報の入力によって指定された色にの画素データに対し、モノクロ画像として記録紙に記録するための処理を施して記録紙に記録し、指定されていない色の画素データに対しては、原稿の色を再現するための画像処理を施して記録紙に記録する。また、識別情報の入力によって指定された色の画素データに対し、原稿の色を再現するための画像処理を施して記録紙に記録するか、又はモノクロ画像として記録紙に記録するための処理を施して記録紙に記録し、指定されていない色として、原稿の地色部分の画素データに対し、白色画像として記録紙に記録するための処理を施して記録紙に記録すること等も可能である。
【００３７】
以下、操作部１３又はクライアントＰＣ２１の備えるキーボード等からカラー画像データの色を指定して所定の処理を施すための指示入力があった場合に、カラー画像データの色の出現頻度を示すヒストグラム８ａを作成して色指定用リスト５０を出力し、出力後にユーザによって入力された識別情報に基づいてカラー画像データに所定の処理を施して記録紙に記録するための処理動作について、図６及び図７に示すフローチャートに基づいて説明する。
【００３８】
まず、制御部２は、カラー画像データの色を指定して所定の処理を施すための指示入力がなされたか否かを判断する（Ｓ１）。所定の処理を施すための指示入力がなされたと判断した場合には（Ｓ１：ＹＥＳ）、指示入力が操作部１３からなされたものであるか、又は外部、ここではクライアントＰＣ２１からなされたものであるかを判断する（Ｓ２）。
【００３９】
制御部２は、指示入力が操作部１３からなされたものであると判断した場合（Ｓ２：操作部）、原稿読取部４に載置されている原稿の画像を読み取り、読み取った画像データに対し所定の画像処理を施す（Ｓ３）。すなわち、図３に示すように、原稿読取部４のカラーＣＣＤによって読み取ったアナログ画像データをディジタル画像データに変換するＡ−Ｄ変換を行った後、入力補正、色補正を施す。続いて、原稿読取部４から出力されるＲＧＢ表色系のカラー画像データの各画素データの色を判別し、色毎に画素数を計数してヒストグラム８ａを作成すると同時に、画素データを多値メモリ６ａに一時的に蓄積する（Ｓ４）。
【００４０】
一方、制御部２は、前記Ｓ２において指示入力がクライアントＰＣ２１からなされたものであると判断した場合（Ｓ２：外部）、ＰＣ  Ｉ／Ｆ１８を介してクライアントＰＣ２１からＲＧＢ表色系のカラー画像データを受信すると共に、受信したカラー画像データの各画素データの色を判別し、色毎に画素数を計数してヒストグラム８ａを作成すると同時に、画素データを多値メモリ６ａに一時的に蓄積する（Ｓ５）。
【００４１】
制御部２は、Ｓ４又はＳ５の処理の後、ＲＡＭ８に格納されているヒストグラム８ａを参照して画素数の多い色を判断し、多値メモリ６ａに蓄積されているカラー画像データの画素データに対し、画素数の多い色から順に識別情報を割り当て、該識別情報をＲＡＭ８の所定領域に格納する（Ｓ６）。
【００４２】
続いて、制御部２は、識別情報が割り当てられた色と同一色の色の見本となるＲＧＢ表色系のカラー画像データを、色指定用カラー画像データ作成部９に作成させる（Ｓ７）。そして、制御部２は、ＲＡＭ８に格納されているフォーマット８ｂを読み出し、色指定用カラー画像データ作成部９は、制御部２の制御命令に従ってそのフォーマット８ｂの領域３１乃至４０に、作成したカラー画像データを嵌め込んで合成し、色指定用リスト５０を作成する（Ｓ８）。
【００４３】
画像処理部１０は、制御部２の制御命令に従って色指定用カラー画像データ作成部９によって作成された色指定用リスト５０のカラー画像データに、所定の画像処理を施して記録紙に記録する（Ｓ９）。すなわち、図３に示すように、色指定用リスト５０の画像データに対し、画像処理部１０において、色変換、色調整、出力色変換、２値化処理を施した後、記録部１１へと出力し、該記録部１１において記録紙に記録する。なお、前記Ｓ５においてクライアントＰＣ２１から受信したＲＧＢ表色系のカラー画像データに基づいて色指定用リスト５０を作成した場合には、色指定用リスト５０をＰＣ  Ｉ／Ｆ１８を介してクライアントＰＣ２１に出力し、該クライアントＰＣ２１の備えるディスプレイに表示させるようにしてもよい。
【００４４】
続いて、制御部２は、色を指定するための識別情報の入力を要求する情報を報知する（Ｓ１０）。具体的には、液晶表示装置１２ａに、「指定したい色の番号を入力して下さい」等のメッセージを表示させる。なお、Ｓ９において色指定用リスト５０をクライアントＰＣ２１に出力した場合には、クライアントＰＣ２１のディスプレイにこのメッセージを表示させるようにする。
【００４５】
その後、制御部２は、操作部１３又はクライアントＰＣ２１から識別情報、ここではユーザが指定したい色の番号が入力されたか否かを判断する（Ｓ１１）。識別情報が入力されたと判断した場合（Ｓ１１：ＹＥＳ）、入力された識別情報で表される表色値と同じ表色値で表される画素データと、その他の画素データに対し別々の処理を施す（Ｓ１２）。すなわち、画像処理部１０において、識別情報の入力によって指定された色の画素データに対し原稿の色を再現するための画像処理を施し、その他の色の画素データに対しモノクロ画像として記録紙に記録するための処理を施す。そして、各画素データを記録部１１に出力し、該記録部１１において記録紙に記録する（Ｓ１３）。なお、Ｓ１２において行われる処理はこれに限定されるものではなく、上記の通り、識別情報の入力によって指定された色の画素データに対し、原稿の色を再現するための画像処理を施して記録紙に記録するか、又はモノクロ画像として記録紙に記録するための処理を施して記録紙に記録し、指定されていない色に関しては、その画素データを破棄して記録紙に記録しないようにする処理等を行うことができる。
【００４６】
以上説明したように、画像処理装置１によれば、ユーザは記録紙に出力された色指定用リスト５０を見て指定したい色を容易に判断できる。また、その色の指定も操作部１３のテンキー等により識別情報である番号を入力するだけでよく、複雑な操作を行うことなく簡単に色の指定を行うことができる。なお、操作部１３やクライアントＰＣ２１から入力することのできる識別情報の数、すなわち、指定したい色の数は、１色に限定されるものではなく、２以上の識別情報を入力することによって複数の色を指定して、上記の処理を行うことも当然可能である。また、原稿が複数ページある場合には、原稿の全ページに対して色の判別を行って色指定用リスト５０を作成することも可能であるが、基本的には、各ページ毎に色の判別を行って色指定用リスト５０を作成して出力し、ユーザによって識別情報が入力された後、各ページ毎に処理を行うようにする。
【００４７】
なお、本実施の形態では、原稿読取部４から、又はクライアントＰＣ２１から出力されたＲＧＢ表色系のカラー画像データの各画素データに対して色の判別を行ってヒストグラム８ａを作成しているが、画像処理部１０において出力色変換されたＣＭＹＫの出力表色系の画素データに対して色の判別を行ってヒストグラム８ａを作成するようにしてもよい。すなわち、原稿読取部４又はクライアントＰＣ２１から出力されたＲＧＢ表色系のカラー画像データに対し、画像処理部１０において色変換、色調整、出力色変換、２値化等の処理を行い、画像処理部１０から出力された出力表色系の各画素データの色の判別を行うと同時に、各画素データを二値メモリ６ｂに一時的に蓄積する。なお、同一色であるか否かの判別は、本実施形態において説明したＲＧＢ表色系のカラー画像データの色の判別と同様に、ＣＭＹＫの各成分に一定の幅を設定し、表色値が例えば５０種類以上あっても、Ｃ１Ｍ１Ｙ１Ｋ１乃至Ｃ５０Ｍ５０Ｙ５０Ｋ５０の５０色のいずれかに識別されるようにする。そして、色指定用リスト５０を出力し、識別情報が入力された場合に、二値メモリ６ｂに蓄積されている出力表色系の画素データに対し、入力された識別情報で表される表色値と同じ表色値で表される画素データと、その他の画素データに対し別々の処理を施す。
【００４８】
また、本実施の形態では、原稿読取部４から出力されたＲＧＢ表色系のカラー画像データを多値メモリ６ａに一旦蓄積し、識別情報の入力がなされた後に、多値メモリ６ａからカラー画像データを読み出し、入力された識別情報で表される表色値と同じ表色値で表される画素データと、その他の画素データに対し別々の処理を施して出力するようにしているが、多値メモリ６ａにカラー画像データを蓄積させることなくこれらの処理を行うようにしてもよい。すなわち、原稿読取部４によって読み取られたカラー画像データに対し、色の判別のみを行って色指定用リスト５０を作成して出力し、読み取ったカラー画像データを破棄する。そして、ユーザによって識別情報が入力された後に、再度原稿の読み取りを行い、入力された識別情報で表される表色値と同じ表色値で表される画素データと、その他の画素データに対し別々の処理を施す。したがって、色指定用リスト５０を作成するために読み取ったカラー画像データを一時的に蓄積しておく必要がないため、例えば多値メモリ６ａに原稿読取部４で読み取った１ページ分のカラー画像データを蓄積できるだけのメモリ容量がない場合でも、入力された識別情報で表される表色値と同じ表色値で表される画素データと、その他の画素データに対し別々の処理を施すことができる。
【００４９】
【発明の効果】
以上説明したように、請求項１記載の画像処理装置によれば、ユーザは、出力手段により出力された色指定用リストの色の見本を見て指定したい色を容易に判断することができる。また、色の見本には識別情報が付加されているので、入力受付手段から任意の識別情報を入力することにより、所定の処理を施したい色を容易に指定することができる。
【００５０】
請求項２記載の画像処理装置によれば、出力手段によって出力される色指定用リストの色の見本及び識別情報は、色の出現頻度の順に並べられたものであるので、指定したい色をより容易に判断することができるという利点がある。
【００５１】
請求項３記載の画像処理装置によれば、出力手段は、カラー画像データ作成手段が作成した色指定用リストのカラー画像データを記録紙上に記録するため、画像処理装置の備える液晶表示装置等の表示部がカラー表示可能でない場合にも色指定用リストを出力することができる。また、ユーザは原稿の画像と記録紙に記録された色指定用リストを比較して指定したい色を判断することができるので、表示部に表示された色指定用リストを見て色を指定する場合のように、記録紙に実際に出力された色がユーザの意図する色と異なるということはないという利点がある。
【図面の簡単な説明】
【図１】本発明の実施の形態に係る画像処理装置の構成を示したブロック図である。
【図２】カラー画像データの色の出現頻度を示したヒストグラムである。
【図３】原稿読取部で読み取ったカラー画像データに対して行われる画像処理のデータ転送の流れを示した図である。
【図４】色指定用リストのフォーマットを示した図である。
【図５】カラー画像データ作成手段によって作成された色指定用リストを示した図である。
【図６】原稿読取部で読み取られたカラー画像データ、又は外部から入力されたカラー画像データに対して、色を指定して所定の処理を施す際に行われる処理動作を示したフローチャートである。
【図７】原稿読取部で読み取られたカラー画像データ、又は外部から入力されたカラー画像データに対して、色を指定して所定の処理を施す際に行われる処理動作を示したフローチャートである。
【符号の説明】
１  画像処理装置
２  制御部（ＭＰＵ）
３  ＲＯＭ
４  原稿読取部
５  ヒストグラムカウンタ
６ａ  多値メモリ
８  ＲＡＭ
８ａ  ヒストグラム
９  色指定用カラー画像データ作成部
１０  画像処理部
１１  記録部
１３  操作部
【図１】
2004350169.tif 000003
【図２】
2004350169.tif 000004
【図３】
2004350169.tif 000005
【図４】
2004350169.tif 000006
【図５】
2004350169.tif 000007
【図６】
2004350169.tif 000008
【図７】
2004350169.tif 000009